(57)【要約】本発明はクリームやペーストのような流動性物質の容器に関するものであり、頸部を備えた柔軟チューブ（１）と、頸部側面（１１）上のチューブ（１）に固定された環状の支持体（２０）、支持体（２０）に連動して移動可能な先端部（２１）を含む便利な封鎖システム（２）とを備えている。本発明は、その円周についての比較的（相対的）に大きい半径を有した開口部（１００）方向の上記チューブの主軸（Ｘ）方向に集束する上記チューブの壁面（１０）によって、頸部（１１）が形成されることを特徴としている。さらに、支持体（２０）が、上記チューブの開口部（１００）に、はめ込まれていることを特徴としている。これにより、頸部（１１）が放射状に広がり、主軸（Ｘ）に沿って上記開口部に対応して固定することができる。
2004501034.tif 000002
【特許請求の範囲】
【請求項１】
クリームやペーストのような流動性物質の容器であって、当該容器は、中空本体（１）と、ストッパー手段（２）とを備えており、
上記中空本体（１）は、少なくとも一部が反対に変形するのに適した壁面（１０）により規定される柔軟チューブであり、主軸（Ｘ）の中心の開口部（１００）が貫通している頸部（１１）で仕切られており、
上記ストッパー手段（２）は、流動性物質をディスペンサー口（２００）の中に規定するための開口部（１００）に固定された環状の支持体（２０）と、封鎖指状突起（２１０）を有するストッパー（２１）とを備え、
上記ストッパーは、ヒンジ連結部（２５）を介して上記支持体（２０）に接続され、上記指状突起が上記ディスペンサー口を閉じる第１の状態から上記開口部が開放される第２の状態までに９０°以上の角度を経由して変化することにより、上記支持体（２０）を選択的に移動可能とし、
上記容器は、上記頸部（１１）が上記開口部（１００）の方向に向かって主軸（Ｘ）上に集束する上記チューブの壁面（１０）により形成され、上記頸部（１１）が上記主軸（Ｘ）を含む縦断面（Ｌ）中で決定される最小半径（Ｒ）を示し、上記中空本体（１）が当該中空本体（１）の各末端（１１０、１２０）間の中間に位置し上記主軸の横断面（Ｔ）で決定される円周（Ｃ）を示し、上記最小半径（Ｒ）に対する上記円周（Ｃ）の割合（Ｃ／Ｒ）が５未満であり、上記支持体（２０）が、上記頸部（１１）に放射状の圧力を加える上記開口部（１００）にはめ込まれていることを特徴とする容器。
【請求項２】
上記支持体は、上記開口部（１００）の周囲の中空本体（１）の壁面（１０）に締め付けられることを特徴とする請求項１に記載の容器。
【請求項３】
上記支持体（２０）は、上記主軸（Ｘ）にほぼ平行な上記中空本体（１）の壁マン（１０）に締め付けられることを特徴とする請求項２に記載の容器。
【請求項４】
上記支持体（２０）は、厚さ幅で上記中空本体（１）の壁面（１０）に締め付けられることを特徴とする請求項２または３に記載の容器。
【請求項５】
上記支持体（２０）は、複数のバルブ（２３１、２３２）を有することにより、上記支持体（２０）が上記頸部（１１）に固定されることを特徴とする請求項１〜４のいずれか１項に記載の容器。
【請求項６】
上記中空本体の壁面（１０）は、次第に、単調に上記開口部（１００）に向かって上記主軸（Ｘ）方向に集束することを特徴とする請求項１〜５のいずれか１項に記載の容器。
【請求項７】
上記バルブ（２３１、２３２）は、上記中空本体（１）の外部にある開口部（１００）の周囲の頸部（２２）に固定された弾力性があり、柔軟な複数のタブ（２４１、２４２）によって支持され、
上記タブ（２４１、２４２）は、上記中空本体の開口部（１００）にはめ込まれ、少なくとも上記主軸（Ｘ）にほぼ平行に伸びることを特徴とする請求項５または６に記載の容器。
【請求項８】
上記バルブ（２３１、２３２）は、上記中空本体の開口部（１００）にはめ込まれたほぼ円筒状補強材によって支持され、上記中空本体（１）の外部の開口部（１００）周囲の頸部（２２）に固定されていることを特徴とする請求項５または６に記載の容器。
【請求項９】
上記連結部（２５）は、上記中空本体（１）の頸部（１０）の外形にあったストラップ（２５０）と、上記ストッパー（２１）に当該ストラップ（２５０）を接続するヒンジ（２５１）とを備えていることを特徴とする請求項８に記載の容器。
【請求項１０】
上記柔軟チューブは、初期段階では開放状態の末端部（１２０）を有し、壁面（１０）を締め付けた後、ヒートシールすることにより閉鎖することを特徴とする請求項１〜９のいずれか１項に記載の容器。
【請求項１１】
上記中空本体（１）の壁面（１０）は、柔軟で変形可能であり、上記開口部（１００）の周囲に含まれることを特徴とする請求項１〜１０のいずれか１項に記載の容器。
【請求項１２】
上記中空本体（１）の壁面（１０）は、４５°以下、好ましくは３０°以下のゼロでない角度（Ａ）に傾斜した母線によって上記開口部（１００）の周囲に規定されることを特徴とする請求項１〜１１のいずれか１項に記載の容器。
【請求項１３】
最小半径（Ｒ）に対する上記決定された円周（Ｃ）の割合は、２未満であることを特徴とする請求項１〜１２のいずれか１項に記載の容器。
【請求項１４】
上記ストッパー（２１）は、上記容器が上記ストッパー上に倒れないような位置を設けるように形成されることを特徴とする請求項１〜１３のいずれか１項に記載の容器。
【請求項１５】
上記第１の状態では、上記ストッパー（２１）は、上記頸部から相対的に離れている相対的に大きい外周の第１の端部（２６）と、上記頸部から相対的に近く相対的に大きい外周の第２の端部（２７）とを有していることを特徴とする請求項１４に記載の容器。
【請求項１６】
上記第１の状態では、上記ストッパー（２１）は、上記ストッパー手段の支持体（２０）を完全に覆っていることを特徴とする請求項１〜１５のいずれか１項に記載の容器。
【発明の詳細な説明】
本発明は、クリームやペーストのような流動性物質を収容する一般的な容器に関するものである。
【０００１】
より詳細には、本発明は、中空本体と、ストッパー手段とを備えているタイプの容器に関する。上記中空本体は、少なくとも一部が反対側に変形するのに適した壁面によって規定される柔軟チューブであり、主軸上の中心の開口部が貫通する頸部で仕切られている。
上記ストッパー手段は、上記流動性物質をディスペンサー口の中に規定するために上記開口部に固定された環状の支持体と、封鎖指状突起を有するストッパーとを備えている。上記ストッパーは、ヒンジ連結を介して上記支持体に接続されており、上記指状突起が上記ディスペンサー口を閉鎖する第１の状態と、上記ディスペンサー口が開放される第２の状態との間で、上記支持体に対して９０°以上の角度にまで向きを変えて、選択的に移動可能である。
【０００２】
上記壁面に圧力を加えることにより上記中空本体から、非常に粘着性がある流動性物質を噴出することが可能なこのような容器は、化粧品、薬剤、食料品の分野で広範囲に使用される。このような容器の上記ストッパー手段は、「コビニエンスキャップ」と称され、一般に存在している。
【０００３】
特に、ストッパー手段または「コンビニエンスキャップ」として知られている容器は、上記ディスペンサー口の方へ向かう重力に応じて上記流動性物質が流れるように、上記ストッパー上に容器を静止させることができる。
【０００４】
このような容器は、一般的に有利であるが、本発明が具体的に解消することを見出した使用中に欠点がある。
【０００５】
このため、前述で紹介した一般的な説明に基づく方法とは異なる本発明の容器は、以下の点を基本的な特徴としている。頸部が上記開口部方向に向かって主軸上に集束するチューブの壁面によって形成される点、頸部が上記主軸を含む縦断面中で決定される最小半径を示す点、上記中空本体が、当該中空本体の各末端間の中間に位置し、上記主軸の横断面で決定される円周を示す点、上記最小半径に対する上記円周の割合が、５未満である点、および上記支持体が、上記頸部に放射状の圧力を加える上記開口部にはめ込まれている点。これにより、本発明の容器は、主軸に沿って開口部が移動するのを防止する。
【０００６】
このため、従来技術の場合のような頸部の周囲の代わりに、本発明のストッパー手段の支持体は、特徴的な２種類の効果をもたらすように頸部の内部に盛り込む。
【０００７】
最初に、上記支持体は、従来技術における支持体によって示される直径より小さい直径であってもよい。したがって、物質の節約につながり、使用中の快適さが向上する。これにより、上記容器から上記流動体物質を抜き取る分野での用途が拡大する。
【０００８】
さらに、上記容器の全長を縮めることができる。その結果、上記容器に上記ストッパーを取り付けた場合に、上記容器が転倒する重心がより下方となる。これは、同じ周囲の長さを有するストッパーによって、上記のように容器が転倒する状態での、安定性が向上するためである。
【０００９】
多数の容器が、例えば、フランス特許２６６５９４８号、米国特許３９４８４２２号、フランス特許１５１３５６８号などの特許文献に、すでに、従来技術として提案されている。
【００１０】
これらの特許文献の容器は、前述した序論に相当するような発明の一般的な説明に相当する所が全くないが、各従来文献には、少なくともいくつかの発明の特徴を表す容器について記載されている。
【００１１】
それにもかかわらず、各従来文献は、発明が解決しようとする具体的な問題を全く開示していない。また、連動して利用する手段のすべてを用いた提案をするものではない。さらに、問題の背景を明確にしておらず、その問題を解決していない。
【００１２】
本発明の好ましい形態では、上記支持体は開口部の周囲にある中空本体の壁面に締め付けられる。また、上記支持体は、主軸にほぼ平行に締め付けられていてもよい。さらに、上記支持体は、厚さ幅で中空本体の壁面に締め付けることもできる。
【００１３】
実施可能な形態では、上記中空本体の壁面は、次第に、単調に、上記開口部に向かって上記主軸方向に集束する。
【００１４】
最も簡単な発明の形態では、上記支持体を頸部に固定するために、上記支持体は複数のバルブを有している。
【００１５】
これらのバルブは、上記中空本体の外部にある上記開口部の周囲の首部に固定された弾力性、柔軟性のあるタブにより支えてもよい。上記タブは、上記中空本体の上記開口部にはめ込まれており、少なくとも主軸に対してほぼ平行に伸びている。
【００１６】
変形例では、上記バルブは、上記中空本体の上記開口部に固定され、中空本体の外部にある開口部の周囲の首部に固定されているほぼ円筒状の補強材によって支持されている。
【００１７】
一例として、連結部は、中空本体の頸部の外形にあったストラップと、ストッパーに当該ストラップを接続するヒンジとを備えている。
【００１８】
頸部と隔たりがあり、初期状態では開放されている柔軟チューブの末端部は、従来の方法により、締め付けることによりふさいだ後、続けてチューブの壁面をヒートシールして閉鎖してもよい。
【００１９】
本発明によれば、壁面が変形可能な中空本体を用い、上記開口部の周囲に含まれる容器を提供できる。
【００２０】
完全に空にできる容器をデザインすることが可能となり、より正確な完全に空にできるチューブをデザインすることが可能となるという特徴は、特に有用である。
【００２１】
従来の容器では、ストッパーは、頸部を覆ってはめる。本発明とは異なる別の頸部は、単に変形するだけで支持体から自然に漏れる可能性があるので、中空本体の壁面は、上記開口部の途中を容易に変形させることができない。
【００２２】
本発明の容器の使用の快適さを拡大するためには、上記開口部の周囲に中空本体の壁面が、上記主軸に対して４５°以下、より好ましくは３０°以下の角度で傾けた母線を規定するように備えることが有利である。
【００２３】
本発明の好ましい形態では、上記最小半径に対する上記決定された円周の割合は、２未満である。
【００２４】
前述のように、上記ストッパーは、第１の状態で容器を倒れないように形成されていてもよい。これにより、ストッパー上に上記容器が倒れないようにすることができる。
【００２５】
最後に、上記ストッパーを立たせたときの上記容器の安定性を改善するために、上記ストッパーの側面の高さを最小限にした状態で、上記頸部の壁面と上記ストッパーの側面の端部との間に隙間ができるのを避けるようにする。
上記ストッパーは、第１の状態で、上記ストッパーは、上記頸部から相対的に離れている相対的に大きい外周の第１の端部と、上記頸部から相対的に近く相対的に大きい外周の第２の端部とが同時に与えることが有利である。
【００２６】
本発明の最も重要な特徴により、第１の状態でのストッパーが、上記ストッパー手段の支持体を完全に覆うことができる。
【００２７】
本発明の他の特徴および有利な点は、添付図面を参照して単に表示され、限定されない態様で以下に示した記載によって十分明白になるであろう。
【００２８】
図に示されるように、本発明は容器に関するものである。すなわち、本発明の容器は、クリームやペーストのような流動性物質を収容するためのものである。上記容器は、必要不可欠な中空本体１とストッパー２とを含んでいる。
【００２９】
中空本体１は、壁面１０によって境界が画定される。中空本体１は、柔軟性、弾力性を有し、変形可能である。このため、中空本体１に対して圧力がかかると、特に握りやすい部分を反対側にへこませることができる。これにより、チューブに含まれる上記流動体物質を放出することができる。
【００３０】
上記チューブの開口部１００は、主軸の方へ集束している中空本体の壁面によって通常構成される頸部１１の頂点におけるチューブの主軸の中心にある。
【００３１】
ストッパー手段２は、基本的に、環状の支持体２０と、ストッパー２１とを備えている。当該ストッパーは、容器を閉じる（図１および図３）または開ける（図２および図４）ために、支持体２０に対応して移動する。
より詳細には、上記環状の支持体２０は、中空本体１の開口部１００に固定されている。そして、上記流動体物質のためのディスペンサー口２００を画定している通路によって穴があけられている。ストッパー２１は、指状突起２１０（図２）を有しており、容器が閉じた時に上記ディスペンサー口２００に栓をする。
【００３２】
上記ストッパーは、ヒンジ連結部２５を介して上記支持体２０に接続されている。これにより、上記ストッパーは、支持体２０に対して、上記指状突起２１０が上記ディスペンサー口２００を閉じている閉状態と、上記ディスペンサー口２００が開放されている開状態とにおける角度が９０度以上になるように、形成することができる。
【００３３】
本発明の容器において、上記頸部１１は、上記開口部１００に向かう上記主軸Ｘの方に集束する上記チューブの上記壁面によって形成される。
【００３４】
上記最小半径Ｒは、上記主軸Ｘを含む縦断面Ｌ中での頸部１１によって示される。具体的には、図４における上記平面では、最小半径Ｒは、上記円周Ｃに比例して比較的大きい。上記チューブは、主軸Ｘを横断して伸びる横断面Ｔによって示され、上記主軸Ｘと、上記チューブの端部１１０および１２０間の中ほどに位置する。
【００３５】
より詳細には、上記最小半径Ｒに対する上記円周Ｃの割合Ｃ／Ｒは、５以下であることが好ましく、２以下であることがより好ましい。
【００３６】
最後に、上記支持体２０は、開口部１００にはまり込み、支持体２０が上記主軸Ｘに沿って上記開口部１００を相対的に移動するのを防ぐ。これは、支持体２０が放射状の張力を受けて頸部１１に付けられているためである。
【００３７】
本発明の好ましい実施形態では、上記支持体２０は、開口部１００の周囲のチューブ１の壁面１０に締め付けられる。
【００３８】
上記支持体２０は、図１、２、および７に示すように、主軸Ｘにほぼ平行な方向で、チューブ１の壁面１０に締め付けることできる。また、図１１に示すように半径方向、図８および図９に示すように、主軸Ｘと半径方向とにほぼ平行な方向、壁面１０は、このような厚さで締め付けるのに特に適している。
【００３９】
上記支持体２０は、支持体２０によって支持されるバルブ２３１および２３２を用いて主軸Ｘに沿って上記開口部１００に対応するように支えてもよい。その結果、主軸Ｘに平行なチューブ１０の壁面１０に締め付けるのに役立つ。
【００４０】
頸部１１の内部に有利に配置された上記バルブは、上記頸部の外部に配置し（図９）、上記バルブが主軸Ｘの半径方向中を相対的に伸縮自在に動かせるようにしてもよい。
【００４１】
図１および図２の実施形態に示すように、例えば、３桁の数字で示されるバルブ２３１および２３２は、互いに１２０度で配置されている。これにより、上記バルブは、２４２および２４３のように柔軟なタブにより的に移動可能となり、上記対応する番号を与える。さらに、チューブ１の外部の開口部１００を囲んでいる首部２２に固定できる。なお、上記タブは、少なくとも主軸Ｘにほぼ平行となるように伸びており、上記チューブの開口部１００にはめ込まれている。
【００４２】
このような条件では、開口部１００（図１および図２）の周囲の厚さよりも大きな厚さを示すチューブ１の壁面１０は、随意に首部２２とバルブ２３１および２３２との間の厚さを越えて締め付けられる。
【００４３】
上記容器中に含まれる流動性物質が抜け出したり、漏れ出したりするのを避けるために、例えば、上記首部２２は、特に図６に示されるように、開口部１００の周囲の環状リブを用いて、開口部１００の反対側に接触してしっかりと漏れないように圧迫している。
【００４４】
図７に示される好ましい変形例では、上記バルブ２３１および２３２は、上記チューブの開口部１００にはめ込まれた円筒状の補強材２４０によって支持され、開口部１００の周囲の首部２２ａに固定されている。
【００４５】
図８〜図１１の変形例にも示されるように、開口部１００上の上記補強材２４０によって及ぼされる放射状の圧力を用いて、直接上記支持体２０と開口部１００との間に、密閉が得られる。
【００４６】
図８に示すような変形例では、首部２２ｂは周辺リム２２１を有しており、上記補強材２４０と協同して、その厚さの直径でチューブ１の壁面１０を固定する。
【００４７】
図９に示すような別の変形例では、首部２２ｃは、バルブ２３１および２３２を支える周辺リム２２２を有している。上記バルブは、上記補強材２４０と協同して、その厚さの直径および主軸Ｘに沿って分離または単体として構成される。
【００４８】
図１０に示すような変形例では、首部２２ｄは、開口部１００にはめ込まれたねじ山の外側を備えた補強材２４０ａを支える。この場合、首部２２ｄを巻き上げる。
【００４９】
図１１に示すようなさらに別の変形例では、首部２２ｅは、開口部１００の外部にねじ込まれた内部のネジ立てを用いる周辺リム２２３と、開口部１００にはめ込まれた補強材２４０とで示され、上記リム２２３と上記補強材２４０との間にチューブ１の壁面１０が締め付けられる。
【００５０】
図１〜図４に示すように、頸部１１は、上記中空本体の壁面１０の特有の形状により有利に構成されている。開口部１００の方へ向かって、次第に、単調に、主軸Ｘの方に集束する。すなわち、変曲点が形成されないように集束する。
【００５１】
図４により詳細に示すように、前述の形状によって、開口部１００の周囲にある中空本体１の壁面１０が、主軸Ｘに対応する比較的小さい傾きの母線により画定されるようにすることができる。例えば、上記傾きは４５°以下の角度Ａで傾き、さらに３０°以下、ただしゼロを除く。
【００５２】
図１および図２に示すように、首部２２は、ヒンジ連結部２５を介してストッパー２１に接続されていてもよい。例えば、ストラップ２５０を、中空本体１と、ストッパー２１にストラップ２５０を接続するヒンジ２５１外部形状にできるだけ一致させてもよい。
【００５３】
図１および図２の形態では、上記ストッパーは、上記首部２２のディスペンサー口にしっかり固定されている指状突起２１０によって、閉状態となるように固定されていてもよい。
【００５４】
この容器は、柔軟チューブが、流動性物質で満たされた時に、底端部１２０に収容するように（図３および図４）、前述した利点のすべてを利用している。この端部１２０は、上記チューブが形成されるときに開けたままにしておき、その後、閉じて、上記チューブに詰込まれた後、上記壁面１０を固定してヒートシールすることにより密閉される。
【００５５】
中空本体１に与えられるどのような形状でも、本発明は、開口部１００の周囲に含まれている、柔軟で変形可能な上記壁面１０を提供することが可能である。その結果、容器に含まれる流動性物質のすべてを供給することができる。
【００５６】
さらに、上記ストッパー２１は、閉状態で上記容器が立つように形成されていてもよい。これにより、上記ストッパー上で上記容器が倒れないようにすることができる。
【００５７】
この場合、図１に示すように、上記ストッパーは、頸部１１から離れて広がっていてもよい。したがって、上記頸部１１から最も離れたストッパー２１の端部２６は、上記頸部１１に最も近い上記ストッパーの端部２７の周辺よりも大きな周辺に存在する。
【００５８】
最後に、図１に概ね示すように、ストッパー１は、閉状態の時に支持体２０を完全に被覆していてもよい。換言すれば、上記容器が閉状態のときに、上記支持体は完全に覆われていてもよい。
【図面の簡単な説明】
【図１】
図１は、本発明の第１の実施形態の容器にかかる、チューブの形状と、閉じた状態を示した、拡大部分断面図である。
【図２】
図２は、図１類似の断面図であり、同様の容器にかかる、開いた状態を示した断面図である。
【図３】
図３は、図１の容器側面図である。閉状態を縮小して示した側面図である。
【図４】
図４は、図３と同様の容器を開状態にした側面図である。
【図５】
図５は、図１における閉状態の容器のストッパーをより詳細に示した側面図である。
【図６】
図６は、図２における開状態の容器のストッパーをより詳細に示した側面図である。
【図７】
本発明の第２の実施形態にかかる容器の部分断面図である。
【図８】
本発明の第３の実施形態にかかる容器の部分断面図である。
【図９】
本発明の第４の実施形態にかかる容器の部分断面図である。
【図１０】
本発明の第５の実施形態にかかる容器の部分断面図である。
【図１１】
本発明の第６の実施形態にかかる容器の部分拡大図である。
【国際公開パンフレット】
2004501034.tif 000003
2004501034.tif 000004
2004501034.tif 000005
2004501034.tif 000006
2004501034.tif 000007
2004501034.tif 000008
2004501034.tif 000009
2004501034.tif 000010
2004501034.tif 000011
2004501034.tif 000012
2004501034.tif 000013
2004501034.tif 000014
2004501034.tif 000015
2004501034.tif 000016
2004501034.tif 000017
2004501034.tif 000018
【国際調査報告】
2004501034.tif 000019
2004501034.tif 000020
2004501034.tif 000021
2004501034.tif 000022